(57)【要約】【課題】建物の開口部周りの気密性能を十分に確保できる改装サッシの提供。【解決手段】改装サッシ１において、新設窓枠１０に取り付けられる新設額縁２０とこれに対向した既設額縁８０の対向面８１Ａ，８２Ａ，８３Ａとの間は、四周に連通し、かつ室外に連通した隙間空間となっているが、この隙間空間に第１の気密材７１を介装した。このため、その隙間空間と室内空間との間の気密を高めることができ、外気が室内側に容易に入りこんだり、室内の空気が室外に漏れるのを有効に防止でき、建物の開口部周りにおける気密性能を確実に向上させることができる。【選択図】　図２
2004100171.tif 000002
【特許請求の範囲】
【請求項１】
建物の開口部に取り付けられた既設窓枠を取り外すことなく、当該既設窓枠を覆うように取り付けられる改装サッシであって、
前記既設窓枠に沿って取り付けられる新設窓枠と、
この新設窓枠の室内側に取り付けられる新設額縁と、
この新設額縁と当該新設額縁に対して見付け方向に対向した前記建物側の対向面との間に介装される第１の気密材とを備えている改装サッシ。
【請求項２】
前記新設窓枠と前記新設額縁との間に介装される第２の気密材を備えている請求項１に記載の改装サッシ。
【請求項３】
前記新設窓枠は、前記既設下枠に設けられた高さの異なる室内外のレールのうち、高さの低い外レール上に載置されている請求項１または請求項２に記載の改装サッシ。
【請求項４】
前記新設窓枠は、前記既設下枠に設けられた高さの異なる室内外のレールのうち、高さの低い外レールを削除した跡部またはその近傍に載置されている請求項１または請求項２に記載の改装サッシ。
【発明の詳細な説明】
【０００１】
【発明の属する技術分野】
本発明は、建物の開口部に取り付けられた既設窓枠を取り外すことなく、当該既設窓枠を覆うように取り付けられる改装サッシに関する。
【０００２】
【背景技術】
従来より、建物の開口部に取り付けられた既設窓枠を取り外すことなく、新設窓枠を簡単に取り付けることができる、いわゆるカバー工法による改装サッシが知られている。このような改装サッシは、既設窓枠を覆うようにして新設窓枠を開口部の内周側から躯体に固定するので、外壁等を壊す必要がなく、特に外壁の施工や止水処理が煩わしい木造の建物には有用である（例えば、特許文献１）。
この特許文献１の改装サッシでは、新設窓枠の見込み寸法が大きく形成されており、この新設窓枠で既設窓枠が見込み方向にわたって完全に覆われている。
【０００３】
また、そのような改装サッシでは、既設窓枠と新設窓枠との間に形成される空間が四周にわたって連通しているとともに、既設下枠と新設下枠との間の空間が外部と連通しており、結果的に四周の空間全てが外部と連通している。従って、四周の空間内の圧力が外気圧と等圧となり、外気圧よりも低くなるのを防止して雨水等を外部から浸入しにくくしている。
【０００４】
【特許文献１】
実公昭６３−２９８２３号公報（第２〜第３頁、第１、第２図）。
【０００５】
【発明が解決しようとする課題】
しかし、このような特許文献１の改装サッシでは、既設窓枠と新設窓枠との間の空間が外部に連通していることに変わりないので、外気が室内空間に入り込んだり、室内の調和空気が室外に漏れるなど、建物の開口部周りにおける気密性能が十分に確保できないという問題がある。
【０００６】
本発明の目的は、建物の開口部周りの気密性能を十分に確保できる改装サッシを提供することにある。
【０００７】
【課題を解決するための手段】
本発明の改装サッシは、建物の開口部に取り付けられた既設窓枠を取り外すことなく、当該既設窓枠を覆うように取り付けられる改装サッシであって、前記既設窓枠に沿って取り付けられる新設窓枠と、この新設窓枠の室内側に取り付けられた新設額縁と、この新設額縁と当該新設額縁に対して見付け方向に対向した前記建物側の対向面との間に介装される第１の気密材とを備えていることを特徴とする。
【０００８】
このような本発明においては、新設窓枠に取り付けられる新設額縁とこれに対向した建物側の対向面との間に第１の気密材を介装するので、既設窓枠および新設窓枠の間の四周の空間（隙間空間）と室内空間との間の気密が高まり、そのような隙間空間と室外とが連通していても、外気が室内側に容易に入りこんだり、室内の空気が室外に漏れることがなく、建物の開口部周りにおける気密性能が確実に向上する。
【０００９】
本発明の改装サッシでは、前記新設窓枠と前記新設額縁との間に介装される第２の気密材を備えていることが望ましい。
このような改装サッシによれば、第２の気密材を新設窓枠と新設額縁との間に介装するので、新設窓枠および新設額縁の取付部において隙間空間と室内空間との間の気密がより高まり、建物の開口部における気密性能が一層向上する。
【００１０】
本発明の改装サッシでは、前記新設窓枠を、前記既設下枠に設けられた高さの異なる室内外のレールのうち、高さの低い外レール上に載置することが考えられる。
例えば既設窓枠が引違い窓用である場合に、既設下枠には高さの異なる内レールおよび外レールを存在することが多い。このような場合に、例えば、既設下枠を見込み方向にわたって完全に覆うようなブラケットを介して取り付けたのでは、高さの高い内レール側に合わせて載置されるために、新設窓枠がより高い位置に取り付けられるようになって開口面積が小さくなる。
これに対して本願のような改装サッシでは、低い方の外レール上に新設窓枠を載置するので、より低い位置に載置されることになり、新設窓枠の特に新設下枠の高さ位置が低くなって開口面積が大きくなる。
【００１１】
一方、本発明の改装サッシでは、前記新設窓枠を、前記既設下枠に設けられた高さの異なる室内外のレールのうち、高さの低い外レールを削除した跡部上に載置することが考えられる。
このような改装サッシでは、新設窓枠が高さの低い外レールを削除した跡部またはその近傍に載置されるから、新設下枠の高さ位置がさらに低くなり、より大きな開口面積が得られるようになる。
【００１２】
【発明の実施の形態】
図１ないし図３において、改装サッシ１は、既設窓枠９０を取り外すことなく、この既設窓枠９０を覆うように設置された、いわゆるカバー工法によるものであり、本実施形態では、既設のサッシおよび改装後のサッシは共に引違い窓である。
具体的に、改装サッシ１は、既設窓枠９０に沿って取り付けられる新設窓枠１０と、新設窓枠１０の室内側に取り付けられる新設額縁２０と、新設窓枠１０の外周を覆う補助枠３０と、新設窓枠１０内に建て付けられる内外一対の障子４０とを備えている。
ここで、障子４０は、上框４１、下框４２、および竪框４３を四周枠組みして構成された框体の内部にガラスパネル４４（本実施形態では複層）を組み入れた構成である。各框４１〜４３は、符号を省略して説明するが、室内側の樹脂形材製の室内部材と、室外側のアルミの押出形材製の室外部材とを互いに接合させた構成であり、断熱性能を有したアルミ・樹脂の複合框になっている。このような障子４０は公知であるため、以下でのさらなる詳細な説明を省略する。
【００１３】
〔新設窓枠の説明〕
新設窓枠１０は、新設上枠１１、新設下枠１２、および新設縦枠１３を四周枠組みした構成であり、既設窓枠９０よりもやや室外側にずれた位置に取り付けられている。新設上枠１１および新設縦枠１３は、アルミの押出形材製であるのに対して、新設下枠１２は、アルミの押出形材製の室内部材１２１と、同じく押出形材製の室外部材１２２と、これら室内外部材１２１，１２２を連結する樹脂製の断熱部材１２３とで構成されている。
なお、本実施形態の新設下枠１２は、室内外部材１２１，１２２が同時に一体で押出成型され、その見込み方向の中間部分のポケットに断熱部材１２３を溶融して注入し、硬化した後にポケット部分を削除して室内外部材１２１，１２２同士を断熱部材１２３のみで連結させる構造である。ただし、断熱部材１２３を注入方式で形成する他、リジットな板状の樹脂材を１枚または複数枚用いて断熱部材を形成してもよく、このような場合では、予め個別に押出成型された室内外部材間に断熱部材がかしめ等で接合される。
【００１４】
新設上枠１１の上部には取付片１１１が設けられ、この取付片１１１はビス１１２で補助枠３０の後述する補助上枠３１に固定されているとともに、取付片１１１には同時に後述のブラケット５１が固定されている。新設上枠１１の下面には、外レール１１Ａが垂設され、この外レール１１Ａの室内側に断熱性カバー１１３がビス１１４で固定され、この断熱性カバー１１３によって新設上枠１１の室内側露出面部（室内側に露出する見えがかり部分）を被覆している。
また、断熱性カバー１１３は、その室内側の端部が木ねじ１１５で新設額縁２０の室外側の端部に固定されている。さらに、断熱性カバー１１３には、内レール１１Ｂを形成する部分が一体に設けられているとともに、この部分を補強するためのアルミの押出形材製の補強部材１１６が配置されている。
この補強部材１１６は、断熱性カバー１１３を貫通してブラケット５１にビス１１７で固定されている。これにより、金属製の補強部材１１６は室内側に露出するが、断熱性カバー１１３が介在されているために、新設上枠１１のからの熱伝導が抑えられ、結露する心配がない。
【００１５】
新設下枠１２では、室内部材１２１の下端に内周側からのビス１２４でブラケット５２が固定されている。また、室外部材１２２にあっては、下方に延びた下垂辺部分がブラケット５２の鉛直面にビス１２５で固定されている。新設下枠１２の室外部材１２２の上面には、外レール１２Ａおよび内レール１２Ｂが立設されている。内レール１２Ｂの室内側において、断熱部材１２３の上方には、断熱性カバー１２６が配置されており、断熱部材１２３が露出するのを防いでいる。断熱性カバー１２６は、室外側の端部が前記内レール１２Ｂに係止された状態とされ、この状態で室内側の端部が木ねじ１２７で新設額縁２０の室外側の端部に固定されている。この際、木ねじ１２７により、室内部材１２１の室内側も同時に新設額縁２０の室外側の端部に固定されている。
【００１６】
新設下枠１２の下部側には、ブラケット５２固定用のビス１２５を利用して水切り部材６０が固定されている。この水切り部材６０は、既設の水切り部材９４を覆うように設けられており、左右両端は外壁材１０５（本実施形態ではモルタルであるが、サイディング材の場合もある）と接触したカバー材６１で塞がれている。また、水切り部材６０の下端には乾式のシール材６２が取り付けられ、外壁材１０５に接触している。これらのカバー材６１およびシール材６２により、改装サッシ１の下側から雨水等が吹き込まないようになっている。
なお、水切り部材６０は、ブラケット５２に取り付けられる他、図５に示すように、別のブラケットを介して新設下枠１２の下面等に取り付けられてもよい。
【００１７】
新設縦枠１３のの見込み方向の略中央には取付片１３１が外側に向けて突設され、この取付片１３１が室内側からのビス１３２により補助枠３０の補助縦枠３３に固定されているとともに、取付片１３１には同時にブラケット５３の室外側が固定されている。
一方（図３中の左側）の新設縦枠１３において、室内側の端部と外障子４０に密着するシール材用の取付片１３３との間には、断熱性カバー１３４が嵌め込まれ、他方（図３中の右側）の新設縦枠１３において、室内側の端部と内障子４０用のガイド片１３５との間には、断熱性カバー１３６が嵌め込まれ、これらの部分で結露が生じても、結露水を隠して見えなくしている。各断熱性カバー１３４，１３６の室内側の端部は、新設額縁２０の室外側の端部にビス１３７で固定されている。
【００１８】
ここで、新設窓枠１０は、改装用に専用に製作されたものではなく、新築の建物等に当初から設置可能な窓枠として製作され、それの一部を加工して流用したものである。つまり、新設上枠１１および新設縦枠１３には取付片１１１，１３１が設けられているが、これらは本来、図２，図３中に点線で示されるように、より外側に延出して形成されており、この新設窓枠１０を改装用に用いる場合において、それらの先端を削除し、外壁材１０５に干渉しないようにして用いられている。
【００１９】
〔ブラケットの説明〕
以上の新設窓枠１０は、四周に配置されたステンレス等の金属製のブラケット５１，５２，５３を介して建物の躯体としてのまぐさ１０１、窓台１０２、および柱１０３に固定されている。以下には、各ブラケット５１〜５３について説明する。
【００２０】
新設上枠１１を取り付けるための上方のブラケット５１は、既設上枠９１を見込み方向にわたって覆う平坦な水平面部５１１と、この水平面部５１１の室外側に設けられて外側に折曲した取付部５１２とを備え、前述したように、水平面部５１１には新設上枠１１の断熱性カバー１１３が固定され、取付部５１２が新設上枠１１の取付片１１１に固定されている。ブラケット５１は、建物の開口部１０４の内周側から、既設上枠９１を貫通する木ねじ５１３によりまぐさ１０１に固定されている。
【００２１】
新設下枠１２を取り付けるための下方のブラケット５２は、既設下枠９２の高さの異なる内外のレール９２Ｂ，９２Ｃのうち、高さの低い外レール９２Ｃ上にのみあてがわれた平坦な水平面部５２１と、水平面部５２１の室外側に設けられて外側に折曲した鉛直な取付部５２２とを備え、前述したように、水平面部５２１が新設下枠１２の室内部材１２１に固定され、取付部５２２が新設下枠１２の室外部材１２２に固定されている。この際、水平面部５２１と新設下枠１２の室内外部材１２１，１２２から突設されたヒレ部との間には、断熱性を考慮した木製の調整材が介装されている。そして、ブラケット５２は、建物の室外側から、既設下枠９２を貫通する木ねじ５２３により窓台１０２に固定されている。
【００２２】
新設縦枠１３を取り付けるための左右のブラケット５３は、ブラケット５１と同一形状であって、既設上枠９１を見込み方向にわたって覆う平坦な鉛直面部５３１と、この鉛直面部５３１の室外側に設けられて外側に折曲した取付部５３２とを備え、鉛直面部５３１には新設縦枠１３の各断熱性カバー１３４，１３６に対応した部分がビス１３８で固定され、取付部５３２が、前述したように、新設縦枠１３の取付片１３１に固定されている。そして、ブラケット５３は、建物の開口部１０４の内周側から、既設縦枠９３を貫通する木ねじ５３３で柱１０３に固定されている。
【００２３】
〔新設額縁の説明〕
新設額縁２０は、新設上枠１１の室内側に取り付けられる新設上額縁材２１と、新設下枠１２に取り付けられる新設下額縁材２２と、新設縦枠１３に取り付けられる新設縦額縁材２３とを備えている。
各新設額縁材２１〜２３は、見込み方向の略中央から室内側において、建物側に設けられた既設額縁８０の各既設額縁材８１，８２，８３に対し、厚みの異なる調整材８４を介して見付け方向に対向している。つまり、既設額縁材８１〜８３の内面が新設額縁２０と対向した対向面８１Ａ，８２Ａ，８３Ａになっている。これらの対向面８１Ａ，８２Ａ，８３Ａと新設額縁２０との間に形成された隙間空間は四周に連通して形成されている。
そして、この隙間空間は、新設窓枠１０と既設窓枠９０との間の四周に連通した空間に対し、調整材８４によって基本的には遮断されているのであるが、厳密に遮断されているわけではなく、部材間の僅かな隙間によって連通している。一方で、新設窓枠１０と既設窓枠９０との間の空間は、新設下枠１２と既設下枠９２との間において、ブラケット５２がピース状であり、しかも既設下枠９２からピース状のライナー部材５２４を介して離間していることから、外部と完全に連通している。従って、前記隙間空間は、新設窓枠１０と既設窓枠９０との間の空間を通して僅かに外部と連通することになり、隙間空間の室内側にある部材間の隙間から外気が室内空間に入り込むおそれがある。
そこで、この隙間空間の室内側の端部には四周に連続した第１の気密材７１が嵌め込まれており、当該隙間空間と室内空間との間で高い機密性が確保されるようになっている。なお、この気密材７１は、新設額縁２０の室内側の四周の端部に嵌め込まれ、かつ既設額縁８０のに室内側から当接される上下左右のケーシング２４で覆われている。
【００２４】
図２ないし図４に示すように、新設上額縁材２１と新設上枠１１との間、新設下額縁材２２と新設下枠１２との間、および新設縦額縁材２３と新設縦枠１３との間にはそれぞれ、第２の気密材７２が介装され、開口部１０４内における前記隙間空間と室内空間との気密性の向上が図られている。この第２の気密材７２は、各新設額縁材２１〜２３の長さ寸法と略同じ長さのテープ状であり、各気密材７２の端部同士を重ねることで四周に連続している。
なお、第２の気密材７２は、接着剤等で貼設されているのであるが、各新設額縁材２１〜２３にその長手方向に沿って取付溝を形成しておき、この取付溝に気密材を嵌め込んで取り付けてもよい。
また、本実施形態では、各新設額縁材２１〜２３は縦勝ちで枠組みされており、図４に示すように、各新設額縁材２１〜２３の接合部分の室外側においては、ピース状の第３の気密材７３が介装されている。ただし、この第３の気密材７３は必要に応じて設けられればよく、省略してもよい。
【００２５】
〔補助枠の説明〕
補助枠３０は、改装専用ではない新設窓枠１０を改装用として確実に納めるためのアタッチメント的な役目を果たすものであって、補助上枠３１、補助下枠３２、および左右の補助縦枠３３を四周枠組みした構成であり、補助縦枠３３は補助上枠３１に対して縦勝ちで固定され、補助下枠３２は補助縦枠３３に対して横勝ちで固定されている。
前述のように、補助上枠３１の室内側の端面には新設上枠１１の取付片１１１が固定され、補助縦枠３３の室内側の端面には新設縦枠１３の取付片１３１が固定され、補助縦枠３３の室外側は、新設縦枠１３の室外側に係止されている。この補助縦枠３３において、室外側の端面は幾分厚肉に形成されており、この厚肉部分の室外側には面格子等の付属部材をビス止めできるようになっている。
また、補助上枠３１の室内側の上部には固定片３１１が設けられ、この固定片３１１がビス３１２により既設上枠９１に設けられた網戸レール９１Ａの室外側面に固定されている。さらに、補助縦枠３３の室内側にはヒレ部３３１が突設され、ヒレ部３３１の先端が既設縦枠９３に設けられた網戸ガイド９３Ａの室外側面に当接されている。ここで、これらの固定部分および当接部分には第４の気密材７４が貼設されている。
そして、補助上枠３１と外壁材１０５との間、および補助縦枠３３と外壁材１０５との間には、バックアップ材１０６およびコーキング材１０７が配置、充填され、止水処理が施されている。
【００２６】
〔改装サッシの設置手順〕
このような本実施形態においては、以下のように改装サッシ１を設置する。
先ず、既設窓枠９０から障子を外すとともに、新設窓枠１０および補助枠３０を四周枠組みしておく。
次いで、新設窓枠１０および補助枠３０を一体に接合し、このときにブラケット５１〜５３も同時に新設窓枠１０側に取り付けておく。ただし、ブラケット５３においては、後で水切り部材６０を取り付ける関係で、この時点でのビス１２５による固定は行わない。
次に、一体とされた新設窓枠１０および補助枠３０を室外側から開口部１０４内に組み入れる。この際には、予め補助枠３０および既設窓枠９０には第４の気密材７４を貼り付けておく。そして、補助上枠３１を室外側から既設上枠９１にビス止めし、さらに、前述した木ねじでブラケット５１〜５３をまぐさ１０１、窓台１０２、および柱１０３に固定する。
また、室外では、水切り部材６０を取り付け、外壁材１０５と補助枠３０との間にバックアップ材１０６およびコーキング材１０７を配置、充填し、止水処理を施す。
室内では、四周枠組みした新設額縁２０に予め第２、第３の気密材７２，５３を貼り付けておき、この新設額縁２０を室内側から開口部１０４内に組み入れ、新設額縁２０の室外側の端部を新設窓枠１０に固定する。次いで、新設額縁２０と既設額縁８０との間に形成される隙間空間に第１の気密材７１を嵌め込む。この後、新設額縁２０の室内側に各ケーシング２４を嵌め込み、隙間空間を塞ぐ。
【００２７】
なお、障子４０は、新設額縁２０が組み込まれた後の適宜なタイミングで新設窓枠１０内に建て付けられる。
また、既設窓枠９０としては、既設上枠９１の網戸レール９１Ａと既設下枠９２の網戸レール９２Ａとは面一であるが、これらに対して既設縦枠９３の網戸ガイド９３Ａが面一ではなく、室内側にずれているものがある（本実施形態では面一）。このような場合では、補助枠３０（新設窓枠１０）全体の見込み方向の位置決めを上方の既設上枠９１との当接のみで行い、補助縦枠３３と既設縦枠９３の網戸ガイド９３Ａとの間の隙間を、既設縦枠９３に取り付ける第４の気密材７４の厚みを大きくして塞げばよい。
【００２８】
〔実施形態の効果〕
このような本実施形態によれば、以下のような効果がある。
（１）　すなわち、改装サッシ１において、新設窓枠１０に取り付けられる新設額縁２０とこれに対向した既設額縁８０の対向面８１Ａ，８２Ａ，８３Ａとの間には、四周に連通し、かつ室外に連通した隙間空間が形成されるが、この隙間空間が第１の気密材７１で塞がれるので、その隙間空間と室内空間との間の気密を高めることができ、外気が室内側に容易に入りこんだり、室内の空気が室外に漏れるのを有効に防止でき、建物の開口部周りにおける気密性能を確実に向上させることができる。
【００２９】
（２）　この際、第１の気密材７１が隙間空間の室外側に介装される場合では、枠組みされた新設額縁２０を組み込む前に、第１の気密材７１を既設額縁８０の内周面に予め貼り付けておき（あるいは、新設額縁２０の外周面に予め貼り付けておき）、この後に新設額縁２０を開口部１０４内に組み入れる必要がある。しかし、四周の各辺で隙間空間の幅が異なる場合など、幅が広い辺側では第１の気密材７１が良好に押圧されず（つぶれず）、十分な気密性を発揮できない可能性がある。これに対して本実施形態では、第１の気密材７１が隙間空間の室内側寄りに介装されており、新設額縁２０を組み込んだ後に取り付けられるため、四周の各辺で隙間空間の幅が異なっても、その幅の度合いに応じて確実に気密できる厚みのものを選んで介装でき、第１の気密材７１が十分に押圧されないといった不具合を防止して気密性を確実に確保できる。
なお、第１の気密材７１としては、各辺の隙間空間の幅に見合ったものを各辺毎に個別に選択して介装し、互いの端部を接触または重ねることで四周に連続させてもよいが、四周分の長さを有した一本の連続ものを用いてもよく、連続ものを用いる場合には、最も大きい幅の隙間空間に対応できる厚みのものを選択すればよい。
【００３０】
（３）　さらに、第１の気密材７１が既設額縁８０（あるいは新設額縁２０）に先付けされていると、新設額縁２０を組み込む際に第１の気密材７１が当該新設額縁２０（あるいは既設額縁８０）に接触して擦れ、一部が破損したり、局部的に変形したり、あるいは剥離する可能性がある。しかし、後付けである本実施形態では、そのような不具合も生じる心配がなく、気密性をより確実に確保できる。
【００３１】
（４）　また、新設窓枠１０と新設額縁２０との間には、周方向に連続した第２の気密材７２が介装されているので、新設窓枠１０および新設額縁２０の取付部において隙間空間と室内空間との間の気密をより高めることができ、建物の開口部における気密性能を一層向上させることができる。
【００３２】
（５）　そして、新設額縁２０のコーナー部分には第３の気密材７３が配置されているので、各新設額縁材２１〜２３の接合部分での空気の流通を阻止でき、気密性能をさらに向上させることができる。
【００３３】
（６）　さらに、新設窓枠１０に一体とされた補助枠３０と既設窓枠９０との間には、第４の気密材７３が止水材で止水されるので、万が一補助枠３０とと外壁材１０５の間のシールが切れた場合でも、雨水等が容易に入り込むのを防止でき、改装用に設けられた木製の調整材が濡えるのを確実に防止いて腐食等を良好に抑制できる。
【００３４】
（７）　また、改装サッシ１では、低い方の外レール９２Ｃ上にのみブラケット５２があてがわれ、新設窓枠１０が載置されているので、新設窓枠１０をより低い位置に載置でき、新設窓枠１０の特に新設下枠１２の高さ位置を低くして開口部１０４の開口面積を大きく維持できる。
【００３５】
〔変形例〕
図５には、既設下枠９２の外レール９２Ｃを削除した跡部９２Ｄ近傍に載置した例が示されている。ただし、跡部９２Ｄ近傍の他、跡部９２Ｄの直上に載置してもよい。また、この変形例では、前記実施形態のようなＬ字形状のブラケット５２（図３）は用いられておらず、木製で板状のライナー部材５４が介装されている。
このような変形例では、もともと高さの低い外レール９２Ｃを削除し、その跡部９２Ｄ近傍に新設窓枠１０が載置されているので、新設下枠１２の高さ位置をさらに低くでき、より大きな開口面積を得ることができる。
なお、新設下枠１２の高さ位置がより低くなった分だけ、より薄型の新設下額縁材２２を用いることができるというメリットもある。
【００３６】
その他、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００３７】
例えば、前記実施形態では、新設額縁２０に対向して既設額縁８０が存在していたが、既設のサッシとしては、このような既設額縁８０が存在しないことも考えられるため、このような場合には、新設額縁２０とこれに対向する建物側の任意の部材と間に第１の気密材７１を介装すればよい。
また、前記実施形態では、既設のサッシおよび改装サッシ１が引違い窓であったが、窓種はこれに限定されるものではなく、辷り出し窓、片引き窓、開き窓（内開き、外開き）、嵌め殺し窓、上げ下げ窓、ルーバー窓など、任意の窓種であってよく、また、既設のサッシと改装サッシとで窓種を違えてもよい。
さらに、本発明に係る新設窓枠の枠材の形態は任意であり、枠材の全体がアルミ等の金属製であっても（新設上枠１１、新設縦枠１３参照）、枠材が金属製の室内外部材とこれらを連結する合成樹脂製の断熱部材とで構成された断熱枠であっても（新設下枠１２参照）、金属製の室外部材と合成樹脂製の室内部材とで構成されたものであってもよい。さらに、枠材としては、全体が合成樹脂で形成されたいわゆる樹脂枠であってもよい。要するに、枠材の形態は、改装時に要求される断熱性能に応じて任意に決められてよい。
【００３８】
【発明の効果】
以上に述べたように、本発明の改装サッシによれば、建物の開口部周りの気密性能を十分に確保できるという効果がある。
【図面の簡単な説明】
【図１】本発明の一実施形態に係る改装サッシを示す内観姿図。
【図２】前記改装サッシを示す縦断面図。
【図３】前記改装サッシを示す横断面図。
【図４】前記改装サッシの要部を示す斜視図。
【図５】変形例を示す縦断面図。
【符号の説明】
１…改装サッシ、１０…新設窓枠、２０…新設額縁、７１…第１の気密材、７２…第２の気密材、９０…既設窓枠、９２Ｂ…内レール、９２Ｃ…外レール、９２Ｄ…跡部、１０４…開口部。
【図１】
2004100171.tif 000003
【図２】
2004100171.tif 000004
【図３】
2004100171.tif 000005
【図４】
2004100171.tif 000006
【図５】
2004100171.tif 000007